(57)【要約】【課題】短めのスカートを身に着けてイスなどに座った際、合わせた左右の大腿部の間と上方にできた隙間と、スカートの裾部の間にできる隙間からスカートの奥の下着の一部が、正面前方から見えないようにすること。【解決手段】短めのスカートを身に着けたとき、身体の正面に位置しているスカートの裾部下側の裏地側に遮蔽部を取りつけ、遮蔽部に重し部を設けることにより、座るだけで重し部が重力により下に引っ張られ、一緒に遮蔽部も左右の大腿部にできた隙間に向けて垂れ下がるので、合わせた左右の大腿部の間と上方にできた隙間と、スカートの裾部との間にできた隙間を遮蔽することができ、正面前方から見ても、隙間から奥の下着の一部が見えるのを防げる。【選択図】　　図１
2004092001.tif 000002
【特許請求の範囲】
【請求項１】
裾部が膝の辺りより上に位置する短めのスカート（１）を身に着けたとき、身体の正面に位置しているスカート（１）の裾部の中央裏側、つまり、左右の大腿部を合わせて座った際、合わせた左右の大腿部の間にできた隙間に遮蔽部（２）を垂れさせることができるような位置に、三角形状等の生地で構成される遮蔽部（２）を取りつけ、遮蔽部（２）に重し部（３）を取りつけて設けておくことによって、スカート（１）を身に着けて、左右の膝や左右の大腿部を合わせて、イスなどに座ったときに、スカート（１）の裾部の裏側に取りつけた遮蔽部（２）の重し部（３）が重力で下に引っ張られることで、遮蔽部（２）も下に垂れ下がり、正面前方から見られても、断面が丸みを有しているためにできる左右の大腿部の間と上方にできた隙間と、スカート（１）の裾部との間にできた逆三角形状の隙間からスカート（１）奥の下着の一部が見えることを防ぐために、遮蔽部（２）を取りつけたスカート衣服。
【発明の詳細な説明】
【０００１】
【発明の属する技術分野】
本発明は、短めのスカートを身に着けてイスなどに座った際、左右の膝や左右の大腿部を合わせて座っても、合わせた左右の大腿部の間と上方にできた隙間と、身に着けているスカートの裾部との間に逆三角形状の隙間ができるため、正面前方から見るとその隙間からスカート奥の下着の一部が見えることがあったが、短めのスカートを身に着けたとき、身体の正面に位置する裾部下側の中央付近裏地側、つまり、座った際に、左右の大腿部を合わせた間に遮蔽部を垂れさせることができるような位置に、重し部を設けた遮蔽部を取りつけることで、短めのスカートを身に着けて左右の膝や左右の大腿部を合わせて座っていた際、遮蔽部により正面前方から下着の一部が見えなく為されたスカート衣服に関する。
【０００２】
【従来の技術】
短めのスカートを身に着けてイスなどに座ったとき、左右の膝や左右の大腿部を合わせて座っても、合わせた左右の大腿部の間と上方にできたすき間と、身に着けているスカートの裾部との間に逆三角形状の隙間ができるため、正面前方から見られると、その隙間からスカートの奥の下着の一部が見えてしまうのであるが、従来は、その隙間を覆い隠すため手を置いたり、ハンカチを置いたりして隠さざるを得なかった。
【０００３】
【発明が解決しようとする課題】
短めのスカートを身に着けて左右の膝や左右の大腿部を合わせてイスなどに座ったとき、膝や大腿部は断面が丸いので、気をつけて左右の大腿部を合わせていたとしても、スカートの裾部が広がっていて、ソフトな生地で左右の大腿部の間の隙間に垂れて隙間を隠さない限り、左右の大腿部の間と上方と、身に着けているスカートの裾部との間に逆三角形状の隙間ができてしまい、正面前方から見ると、その隙間から奥の下着の一部が見えてしまうことがあり、従来はその隙間を手で隠していたが、身振り手振りで話したり、何か書かないといけないとき手で隠していることができなかったり、忘れたりするので常に神経を使わなければならず、ハンカチを置いて隠していると落としたり、不自然であったりしますが、短めのスカートを身につけているときは、立ったり座ったりの立ち居振る舞いに始まり、足を組み替えたりするときも、常にスカート奥の下着を見られないように気を使わなければならなく、普通に立っているときはファッショナブルな短めのスカートも、イスなどに座るときは大変であり、座っていても下着を見られる心配のない短めのスカートが求められていた。
【０００４】
【課題を解決するための手段】
短めのスカートを身に着けてイスに座ったとき、左右の大腿部の間と上方にできる隙間と、スカートの裾部との間にできる隙間を、手やハンカチの代わりに隠せば良いので、短めのスカートを身に着けたとき正面に位置しているスカートの裾部の裏側、つまり、座ったときに左右の大腿部の間に位置する部分に、遮蔽部を取りつけ、遮閉部に重し部を設けることにより、短めのスカートを身に着けて左右の大腿部を合わせてイスなどに座ると、立っているときは重力で足下に向かって落ちようとしていた、スカート裏側の遮蔽部に設けた重し部が、座ることで合わせた左右の大腿部の間にできた隙間に向かって落ちようとして、下に引っ張られるため、遮蔽部も下に引っ張られ、幕を降ろしたように垂れ下がることにより、手やハンカチを置いて上から隙間を隠すのではなく、イスなどに座ると自然にスカート裾部裏地側に取りつけた遮蔽部により、逆三角形状の隙間を覆い隠すことができるようになり、隙間からスカート奥の下着の一部が見えることを防げるのである。
【０００５】
【発明の実施の形態】
本発明は、短めのスカートを身に着けてイスなどに座ったとき、左右の大腿部の間と上方にできた隙間と、スカートの裾部との間にできる逆三角形状の隙間を隠すことで、正面前方から、その隙間を通して見えるスカート奥の下着の一部を見えなくするため、スカートの裾部下側の裏地側に、重し部を設けた遮蔽部を取りつけるものである。
【０００６】
遮蔽部は、スカートの裾部裏地側に取りつけられるので、繊維や軟質樹脂にすると軽量で効果的である。
【０００７】
遮蔽部は、遮蔽効果が必要であるので、透けない素材が求められ、遮蔽部より奥の部分を遮蔽する代わりに遮蔽部は正面前方から見えてしまうので、スカートと同じ生地やファッション性の優れた生地にすると効果的であり、シルクなどのソフトな生地にすると隙間に滑り込みやすく効果的である。
【０００８】
遮蔽部を取りつける位置は、短めのスカートを身に着けたとき、身体の正面に位置しているスカートの裾部下側の中央付近裏地側に設けるのであり、つまり、この位置に設けることにより、短めのスカートを身に着けてイスなどに座ったとき、合わせた左右の大腿部の間と上方にできた隙間と、スカートの裾部との間にできる隙間を隠すことができ効果的である。
【０００９】
左右の大腿部を合わせて座っても、正面前方から見ると、左右の大腿部の間と上方にできた隙間と、身に着けているスカートの裾部との間に逆三角形状の隙間ができてしまうので、左右の膝頭から、その隙間を通してスカートの奥の下着の一部が見えないように、その隙間を隠すために、スカートを身に着けたとき正面に位置しているスカートの裾部下側の中央付近裏地側からウエストに向かって遮閉部を取りつけると効果的である。つまり、遮蔽部を取りつける位置は、短めのスカートを身に着けて、左右の大腿部を合わせて座った際、合わせた左右の大腿部にできた隙間を、裾部下側の裏地に取りつけた遮蔽部を垂れさせることで、覆い隠せる位置でなければならないのである。
【００１０】
遮蔽部の形状は、左右の大腿部の間と上方にできた隙間と、スカートの裾部との間にできる隙間が、正面前方から見ると逆三角形状であるので、遮蔽部の形状も三角形状の生地を使い、底辺をスカート裾部下側の裏地に合わせ、残りの二辺を裾部側からスカート裏側のウエスト方向に向けて縫合することにより、座った際、裾部の裏側から市に垂らすことができ、正面前方から見られたとき、逆三角形状の隙間を隠すことができるようになるので効果的である。
【００１１】
遮蔽部をスカート裾部裏側に取りつける方法は、左右の大腿部の間と上方にできた隙間と、スカートの裾部との間にできる逆三角形状の隙間には、左右の大腿部の長さに沿って奥行きがあるので、その隙間の奥行きに沿って、一枚の三角形状の生地でできた遮閉部の底辺をスカート裾部下側の裏地に合わせ、残る二辺をスカート裏側のウエスト方向に縫合して遮蔽部を設けると立体的に隙間を隠すことができ効果的である。
【００１２】
三角形状の生地を用いた遮蔽部は、底辺以外の二辺をスカート裏側に縫合して取りつけるのであるが、底辺の中心付近から二辺の交わる頂点に向かって折り目をつけておくと、合わせた左右の大腿部の間にできた隙間に入り込みやすくなり遮蔽効果が上がるので効果的である。
【００１３】
遮蔽部を隙間の奥行きに沿って設けるときは、スカートの裾部側に位置する遮蔽部の底辺側を広くし、スカートのウエスト方向に行くほど狭めた鼻のような形状や三角形状にすると、歩行中、遮蔽部がじゃまになりにくいので効果的である。
【００１４】
遮蔽部をスカートの裾部裏側に取りつけるときは、遮蔽部を伸ばしてスカートの裏地にぴったり密着させて取りつけると、座った際、スカートの裾部から大腿部の隙間に垂れ下がらせることができないので、遮蔽部の底辺の両端を狭めた状態で上に這わせている二辺を縫合などで取りつけると、座った際、スカートの裾部から大腿部の隙間に垂れ下がらせることができ、そうすることで、正面前方から見たときの逆三角形状で奥行きのある隙間へ、幕を降ろしたように遮蔽部で覆うことができるようになり効果的である。
【００１５】
遮蔽部をスカートの裾部下側の裏地側に取りつけるときは、縫合しても、接着させても良いのである。
【００１６】
遮蔽部の大きさは、大腿部の丸みや太さが人それぞれ違うため座ったときにできる隙間の大きさも人により異なるので、その人に合わせてオーダーメイドにしても、平均的な大きさにしても良いのである。
【００１７】
遮蔽部は、取りつけた重し部の重さで下に引っ張られるため、立っているとき着けているスカートの裾部からはみ出さないように、遮蔽部をスカートに取りつけた方が良いのである。
【００１８】
遮蔽部は、スカートを身に着けたとき、身体の正面に位置している裾部下側の中央付近裏地側からウエスト方向に取りつけられるのであるが、遮蔽部の底辺の中心部分で、座ったとき左右の大腿部と接触する遮蔽部の面側に重し部を設けておくと、重し部が遮蔽部の先端となって下に引っ張られ、一緒に遮蔽部も下に引っ張られるため遮蔽効果が上がるのである。
【００１９】
重し部の重さは、重すぎると歩行中に重く感じるので、歩行するとき違和感のない重さで、座ったとき遮蔽部が下に引っ張られ、左右の大腿部の間にできた隙間に滑り込むようにして入り込み、スカートの裾部との間にできる隙間が隠れるような重さにすると効果的である。
【００２０】
重し部の大きさと形状は、座ったとき、遮蔽部が左右の大腿部の間と上方にできた隙間と、スカートの隙間との間にできる隙間を遮蔽することを妨げるような大きさと形状でなければ、どのような大きさと形状でも良いのである。
【００２１】
遮蔽部に重し部を取りつけるときは、座ったとき左右の大腿部の間にできた隙間に入り込むように遮蔽部の底辺の中心部分に設けた方が、重し部が、遮蔽部の先端を下に引っ張って入り込みやすくなるので効果的である。
【００２２】
遮蔽部に重し部を取りつけるときは、縫合しても、固着してもどちらでも良いのである。
【００２３】
重し部の素材は、重さの関係から金属にするのが一般的であるが、重力を利用して遮蔽部を下に引っ張る重さがあれば、金属以外のガラスやビーズなどでも良いのである。
【００２４】
【実施例】
実施例について図面を参照して説明すると、図１において、三角形状の生地を用いた遮蔽部（２）を、イスなどに座った際、遮蔽部（２）が合わせた左右の大腿部にできた隙間に向かって下に垂れ下がるように、遮蔽部（２）の底辺の両端を狭めて、短めのスカート（１）を身に着けたとき、身体の正面に位置しているスカート（１）の裾部下側の中央付近裏地側に合わせ、残りの二辺をスカート（１）裏地側のウエスト方向に向けて縫合して取りつけ、遮閉部（２）の底辺の中心付近に重し部（３）を設ける。
【００２５】
図２では、短めのスカート（１）を身に着けてイスなどに座った際、左右の大腿部を合わせて座っていても、合わせた左右の大腿部の間と上方にできた隙間と、スカート（１）の裾部との間にできる隙間により、正面前方から見るとその隙間からスカート（１）奥の下着の一部が見えるのであるが、短めのスカート（１）を身に着けたとき、身体の正面に位置しているスカート（１）の裾部下側の中央裏側に、遮蔽部（２）の底辺に重し部（３）を設けた遮蔽部（２）取りつけてあるので、イスなどに座ると、重し部（３）が左右の大腿部の隙間に向かって下に引っ張られ、連れて、一緒に遮閉部（２）も下に引っ張られることで、合わせた左右の大腿部の間と上方にできた隙間と、スカート（１）の裾部との間にできる隙間を遮蔽することができ、短めのスカート（１）を身に着けてイスなどに座っても、左右の大腿部の間と上方にできた隙間と、スカート（１）の裾部の間にできる隙間を通して、正面前方からスカート（１）奥の下着の一部を見られることがなくなることを示す透視図であり、図３では、短めのスカート（１）を身に着けた女性がイスなどに座った状態を、正面前方から見た使用状態を示す図である。
【００２６】
遮蔽部（２）を取りつける位置は、スカート（１）の裾部裏地の下側端部にぴったり合わせなくても、遮蔽できれば、少しウエスト側に近づけて取りつけた方が、立っているとき、裾部から遮蔽部（２）がはみ出さないので良いのである。
【００２７】
遮蔽部（２）の形状は、合わせた左右の大腿部の間と上方にできた隙間と、スカート（１）の裾部との間にできる隙間が、奥行きのある逆三角形状であるので三角形状の生地を使用し、裾部裏側から同じように逆三角形状して下に垂らした方が、遮蔽効果が上がるので効果的である。また、三角形状にして、底辺をスカート（１）裾部に合わせ、底辺を狭めた状態で、二辺をスカート（１）裏地のウエスト側に向けて縫合などして取りつけた方が、正面前方から遮蔽部（２）を見たとき左右がほぼ対称形の逆三角形状になるので、逆三角形状の隙間を覆いやすく効果的である。
【００２８】
重し部（３）は、複数個設けても良く、遮蔽部（２）に設けるときの位置も、遮蔽部（２）による遮蔽効果が得られれば、必ずしも図中に示した位置でなくても良いのである。
【００２９】
また、重し部（３）があった方が、遮蔽部（２）が下に引っ張られるので間違いなく隙間を隠す効果が高くなるのであるが、遮蔽部（２）をソフトな生地にするなど工夫することで重し部（３）は無くしても良いのである。
【００３０】
【発明の効果】
本発明は、以上述べてきたような内容で実施され、以下に記載されるような効果を奏する。
【００３１】
短めのスカートの裏地側に取りつけられた遮蔽部により、イスなどに座った際、合わせた左右の大腿部の間と上方にできた隙間と、スカートの裾部との間にできる隙間を、いちいち手で隠さなくても、イスなどに座るたびに、遮蔽部が隠してくれるので便利である。
【００３２】
本発明を使用することによって、イスなどに座るたび、自然に合わせた左右の大腿部の間と上方にできた隙間と、スカートの裾部との間にできる隙間を隠してくれるので、正面前方から隙間を通してスカートの奥の下着の一部を見られるのを防ぐことができるのである。
【００３３】
従来、短めのスカートを身に着けてイスなどに座った際、合わせた左右の大腿部の間と上方にできた隙間と、スカートの裾部との間にできる隙間を手で隠していたときは、話に夢中になると手で覆い隠すのを忘れたり、身振り手振りで会話をすることができなかったが、本発明は、遮蔽部により、イスなどに座るたびに自然に隙間を隠してくれるので、気兼ねせず両手が使えるので、コミュニケーションが良く取れるようになるのである。
【００３４】
従来、合わせた左右の大腿部の間と上方にできた隙間と、スカートの裾部との間にできる隙間をハンカチで隠していたときは、少し動いただけでハンカチが足元に落ちるので微動だにできなかったが、本発明は、座ると自然に隠してくれるので、短めのスカートを着けていても緊張することなくリラックスして座っていることができるのである。
【００３５】
短めのスカートを着けて座っていても、合わせた左右の大腿部の間と上方にできた隙間と、スカートの裾部との間にできる隙間を自然に隠してくれ、隙間から下着の一部が見えることを防いでくれるので、短めのスカートを着けた日でも、立ったり座ったりが自然に行えるようになるのである。
【００３６】
座っても、自然に遮蔽部が左右の大腿部の間と上方にできた隙間と、スカートの裾部との間にできる隙間を隠してくれ、スカートの奥の下着の一部が見える心配がなくなるので、従来のように正面前方から見られているのではないかという不安が解消される。
【００３７】
短めのスカートを身に着けて座ったり、足を組み替えたり、立ったりを繰り返しても、隙間を遮蔽しているので、受け付けやＯＬなどの職種でも安心して短めのスカートで勤務できるようになるのである。
【００３８】
また、発表会や結婚式のセレモニーなど人が多く集まるイベントに参加したり、出掛けるときも、従来のように座った際、注意散漫になり隙間からスカートの奥を見られて恥ずかしい思いをする不安から時と場合を考えて、短めのスカートを穿いて行くのをためらうことが少なくなり、身に着ける衣服の幅が広がり効果的である。
【図面の簡単な説明】
【図１】本発明の実施例図である。
【図２】本発明の透視図である。
【図３】本発明の使用状態を示す図である。
【符号の説明】
１　スカート
２　遮閉部
３　重し部
【図１】
2004092001.tif 000003
【図２】
2004092001.tif 000004
【図３】
2004092001.tif 000005